(57)【特許請求の範囲】
【請求項１】
基材の表面に光反射性を有する複数の凹部が形成された反射体であって、これら各々の凹部は、各々が凹部の最深点を通過する以下の第１縦断面と第２縦断面を有し、前記第１縦断面は、その内面の形状が、凹部の一の周辺部から最深点に至り前記基材表面に対して凹形となる第１曲線と、この第１曲線に連続して、凹部の最深点から他の周辺部に至り前記基材表面に対して凹形となる第２曲線とからなり、第１曲線の基材表面に対する傾斜角の絶対値の平均値が、第２曲線の基材表面に対する傾斜角の絶対値の平均値より大きくされる一方、前記第２縦断面は、第１縦断面と直行し、その内面の形状が、前記基材表面に対して凹形となる浅型曲線と、浅型曲線の両側にあって浅型曲線よりも曲率半径が小さく前記基材表面に対して凹形となる深型曲線とからなることを特徴とする反射体。
【請求項２】
前記複数の凹部は、各々の第１縦断面及び第２縦断面の方向が等しく、各々の第１曲線が単一の方向に配向するように形成されたことを特徴とする請求項１に記載の反射体。
【請求項３】
前記第１曲線と第２曲線とは、互いに接する位置における基材表面に対する傾斜角がゼロとなることを特徴とする請求項１又は請求項２に記載の反射体。
【請求項４】
前記複数の凹部の深さは、０．１μｍ〜３μｍの範囲内で不規則に形成されたことを特徴とする請求項１から請求項３の何れかに記載の反射体。
【請求項５】
前記複数の凹部は、互いに不規則に隣接して配置されたことを特徴とする請求項１から請求項４の何れかに記載の反射体。
【請求項６】
請求項１から請求項５のいずれかに記載の反射体が設けられたことを特徴とする反射型液晶表示装置。
【請求項７】
前記反射体が、前記複数の凹部の各々の第１縦断面及び第２縦断面の方向が等しく、各々の第１曲線が単一の方向に配向するように形成され、かつこの反射体が、それぞれの凹部における第１曲線が、観察者から見て第２曲線よりも上方に位置するように設けられたことを特徴とする請求項６に記載の反射型液晶表示装置。
【請求項８】
基材表面に対する正反射の角度に反射率のピークを有すると共に、正反射の角度より小さい反射角度範囲の反射率の積分値と、正反射の角度より大きい反射角度範囲の反射率の積分値とが異なることを特徴とする請求項１に記載の反射体。
【請求項９】
請求項８に記載の反射体が設けられ、かつ、この反射体の、前記反射率の積分値が大きくなる反射角度範囲が、観察者から見て、基材表面に対する正反射の角度よりも上方になるように、設けられたことを特徴とする反射型液晶表示装置。
【発明の詳細な説明】
【０００１】
【発明の属する技術分野】
本発明は、外部光、フロントライト、バックライト等を光源とする液晶表示装置に好適に使用できる反射体、およびこれを用いた液晶表示装置に関する。さらに詳しくは、広範囲の角度にわたって良好な反射率を有すると共に、所望の範囲の反射方向において特に反射率を高めることのできる反射体、およびその反射体を用いることにより、広い視野角を有すると共に、主たる視野範囲で充分な明るさを確保できるように適度な指向性を有する液晶表示装置に関するものである。
【０００２】
【従来の技術】
ハンディタイプのコンピュータなどの表示部として、液晶表示装置が広く利用されている。これらの液晶表示装置には、消費電力が小さいことから外部光を光源とする反射型液晶表示装置が広く利用されている。また、外部光を補うために、フロントライト備える液晶表示装置も広く用いられている。
これらの液晶表示装置は、表示面側（観察者側）から入射した外部光、又はフロントライトからの光を、内部の反射体で表示面側に反射させて、液晶層の分子配列の状態に応じて示される表示を、利用者が目視できるようにしている。
また、外部光を補うために、バックライトを備える液晶表示装置も広く用いられている。この場合、外部光を反射するための反射体としては、バックライトからの光を透過可能とするために、半透過反射型の反射体が用いられている。
【０００３】
本発明者らは、これらの反射体の表面形状（表示面側の形状）と反射特性との関係について、従来より種々の検討を加えてきた。
たとえば、表面が平らな鏡面状態とされた反射体を用いると、入射角度に対応する特定の反射角度において非常に高い反射率を示すが、反射率の高い反射角度の範囲がきわめて狭い、すなわち、明るい表示範囲が狭い高指向性の反射特性となる。また、光源や観察者の顔が映り込んで、視認性を低下させる傾向がある。
一方、反射体表面に球面の一部をなす凹部や溝を多数形成したり、ランダムな凹凸を設けたりすることにより、広範囲の方向に良好な反射率が得られるようにする試みがなされている（特願平９−２０３６３７号、特願平９−１９７５７６号、特願平９−１９４６４３号等）。この場合、明るい表示範囲が広い反射特性となる。
【０００４】
この内、反射体表面に球面の一部をなす多数の凹部を設けたものとして、特願平９−２０３６３７号には、図９に示すような反射体が提案されている。この図に示す形態の反射体５１は、例えばガラス等からなる基板５２上に設けられた感光性樹脂層等からなる平板状の樹脂基材５３（反射体用基材）の表面に、その内面が球面の一部をなす多数の凹部５４が、互いに重なり合うように連続して形成され、その上に例えばアルミニウムや銀等の薄膜からなる反射膜５５が蒸着または印刷等により形成されたものである。
【０００５】
上記凹部５４は、深さが０．１ないし３μｍの範囲でランダムに形成されるとともに、隣接する凹部５４のピッチも５ないし５０μｍの範囲でランダムに配置されている。また、凹部５４の内面は、各々単一の球面の一部をなす曲面となっており、その傾斜角は、−１８ないし＋１８度の範囲に設定されている。
【０００６】
なお、本明細書において、「凹部の深さ」とは反射体の基板表面から凹部の底部までの距離、「隣接する凹部のピッチ」とは平面視したときに円形となる凹部の中心間の距離のことである。
また、「傾斜角」とは、特定の縦断面において、凹部５４の内面の任意の箇所における接線の基板表面に対する角度のことである。
【０００７】
この反射体５１は、後述の比較例（図６）に示すような反射特性を有している。図６は、入射角度３０度において、縦軸を反射率（反射強度）、横軸を反射角度とした反射特性曲線を示すグラフである。
なお、入射角度とは、図１０に示すように、反射体５１（基材表面）に立てた法線Ｈと入射光Ｊとがなす角度ω0である。また、反射角度とは、上記法線Ｈと入射光Ｊとを含む平面上において、上記法線Ｈと反射光Ｋとがなす角度ωである。また、基材表面に対する正反射の角度とは、入射角度ωと反射角度ω0が等しくなる角度である。
図６に示すように、反射体５１の反射特性は、正反射の角度である反射角度３０度を中心として、１５゜≦ω≦４５゜の範囲で、ある程度良好な反射率を有しているものである。
【０００８】
【発明が解決しようとする課題】
上述した従来の反射体５１は、凹部の存在により比較的広範囲の角度にわたってある程度良好な反射率が得られるものである。しかし、図６に示したように、その反射特性は、反射角度１５度および４５度を左右のピークとして、正反射の角度である反射角度３０度の近傍においては反射率が低くなっている。したがって、ある程度良好な反射率が得られる範囲が存在はしているものの、正反射方向において明るさが損なわれているものであった。
【０００９】
しかしながら、ノート型のパソコンや卓上計算機、腕時計等、特定の装置に組み込まれた表示装置は、光源の方向（入射角度）と、反射光を受ける利用者の視線との角度（反射角度）とが、ある特定の範囲内にある条件で使用される場合が多い。したがって、使用者の利用の便宜を考えると、明るい表示を広い範囲で得られるだけでなく、ある特定の方向の反射強度を増すことが望まれていた。
また、バックライトを備える液晶表示装置の場合も、上記明るい表示範囲の広い反射体を用いると、バックライトからの光が反射体表面で散乱しすぎて、最も利用率の高い反射角度方向に出射する光が少なくなってしまうという問題があった。
【００１０】
本発明は、上記の問題を解決するためになされたものであって、広範囲の角度にわたって良好な反射率を有すると共に、所望の範囲の反射方向、特に正反射の方向からずれた方向において特に反射率を高めることができ、しかもバックライトを用いた場合に光を散乱させすぎない反射体、およびその反射体を用いることにより、明るい表示を広い範囲で有すると共に、通常の視野範囲に対して適度な指向性を有する反射型液晶表示装置を提供することを課題とする。
【００１１】
【課題を解決するための手段】
前記の課題を解決するために本発明は、基材の表面に光反射性を有する複数の凹部が形成された反射体であって、これら各々の凹部は、各々が凹部の最深点を通過する以下の第１縦断面と第２縦断面を有することを特徴とする反射体を提供する。（ａ）内面の形状が、凹部の一の周辺部から最深点に至り前記基材表面に対して凹形となる第１曲線と、この第１曲線に連続して、凹部の最深点から他の周辺部に至り前記基材表面に対して凹形となる第２曲線とからなり、第１曲線の基材表面に対する傾斜角の絶対値の平均値が、第２曲線の基材表面に対する傾斜角の絶対値の平均値より大きい第１縦断面、（ｂ）第１縦断面と直行し、内面の形状が、前記基材表面に対して凹形となる浅型曲線と、浅型曲線の両側にあって浅型曲線よりも曲率半径の小さく前記基材表面に対して凹形となる深型曲線とからなる第２縦断面。本明細書において何れの方向の縦断面を第１縦断面とするかに特に限定はないが、観察者から見て上下、又は前後の方向の縦断面を第１縦断面とすることが望ましい。
【００１２】
この反射体は、基材の表面に光反射性を有する複数の凹部が形成され、これらの凹部が曲面（凹面）から形成されているので、明るい表示範囲を広く確保すると共に映り込みを抑制する光拡散性を有している。
また、これらの凹部の内面形状は、第１縦断面においては、最深点を境とする第１曲線と第２曲線とからなり、第１曲線の基材表面に対する傾斜角の絶対値の平均値が、第２曲線の基材表面に対する傾斜角の絶対値の平均値より大きくなるような曲線に形成されている。すなわち、第１曲線の傾斜は比較的急で、第２曲線の傾斜は比較的緩やかになっており、第２曲線の方が、第１曲線よりも長くなっている。
このため、第２曲線周辺の面で反射される光が、第１曲線周辺で反射される光よりも多くなる。すなわち、第２曲線周辺の面に対する正反射方向の光束密度が高くなるように反射される。従って、各凹部のそれぞれの第１曲線の方向を特定の方向（単一又は複数の特定方向）に揃えれば、反射体全体として特定の方向の反射強度を増加させることができる。
さらに、これらの凹部の内面形状は、第１縦断面と直交する第２縦断面においては、浅型曲線と、浅型曲線の両側にあって曲率半径の小さい深型曲線とを有するように形成されているので、ほぼ正反射の方向の反射率を高めることができる。なお、深型曲線は、浅型曲線の両側に均等にあることが望ましい。
その結果、第１縦断面における総合的な反射特性としては、正反射の角度に反射率のピークを有すると共に、第２曲線周辺の面によって反射される方向に向かう反射率が増加したものとなる。すなわち、正反射方向の反射光を充分に確保しつつ、特定の方向に反射光を適度に集中させた反射特性とすることができる。
【００１３】
本発明において、前記複数の凹部は、各々の第１縦断面及び第２縦断面の方向が等しく、各々の第１曲線が単一の方向に配向するように形成されることが望ましい。すなわち、各々の凹部の第一曲線が単一の方向に配向され、かつ、各々の凹部の第２曲線も単一の方向に配向されることが望ましい。
これにより、反射体全体として、第２曲線周辺の面で反射される方向の反射率が増加したものとなる。すなわち、特定の方向に向かう反射光を適度に集中させた反射特性とすることができる。
【００１４】
本発明において、前記第１曲線と第２曲線とは、互いに接する位置における基材表面に対する傾斜角がゼロとなることが望ましい。また、第１曲線の傾斜角を負、第２曲線の傾斜角を正とした場合、第１曲線の傾斜角は、負の値側から徐々にゼロに近づき、第２曲線の傾斜角は正の値側から徐々にゼロに近づき、両者が接する位置においては、第１曲線と第２曲線の何れの傾斜角もゼロとなることがより望ましい。
これにより、凹部内面全体をなだらかに形成することができるので、正反射の方向の反射量が減少することを回避することができる。
【００１５】
前記複数の凹部の深さは、０．１μｍ〜３μｍの範囲内で不規則に形成されていることが好ましい。
凹部の深さが０．１μｍ未満では、光の散乱効果が不十分である。３μｍを越えると、この深さを実現するための基材の厚さが過大となり、製造上も製品面でも不都合となる。複数の凹部の深さが不規則に形成されていると、凹部の深さが規則的に形成されている場合に起こりがちな光の干渉に起因するモアレ模様の発生が防止され、また特定視角における反射光量のピーク的な集中が緩和され、視界内の反射光量変化がなだらかになる。
【００１６】
前記複数の凹部は、互いに不規則に隣接して配置されていることが好ましい。
凹部の間隔が離れていると、凹部と凹部との間は平面になるので平面反射が増え、限られた画素領域内で十分な乱反射効果が得られなくなるので、凹部は互いに隣接して形成されていることが好ましい。また凹部が規則的に配列されているとモアレ模様が発生するので、凹部は不規則に配置することが好ましい。
【００１７】
本発明はまた、前記いずれかの反射体が設けられた反射型液晶表示装置を提供する。特に、前記反射体が、前記複数の凹部の各々の第１縦断面及び第２縦断面の方向が等しく、各々の第１曲線が単一の方向に配向するように形成され、かつこの反射体が、それぞれの凹部における第１曲線が、観察者から見て第２曲線よりも上方に位置するように設けられていることが好ましい。
このように、全ての凹部の第１曲線が、観察者から見て第２曲線よりも上方に位置するように設けられていれば、通常、主として上方から入射する外光等を、観察者の足下方向よりも基材表面に対する法線方向にシフトさせることができる。
また、観察者から見て主として上方から入射する外光等が第２曲線周辺の面に効率的に入射するので反射光量が全体的に増加する。
さらに、第２縦断面における浅型曲線からの反射により、正反射方向の光量も充分に確保することができる。
このため、観察者の視線の方向に反射する光量が増加し、実用の視点において明るい画面の反射型液晶表示装置が実現する。
【００１８】
本発明はまた、基材表面に対する正反射の角度に反射率のピークを有すると共に、正反射の角度より小さい反射角度範囲の反射率の積分値と、正反射の角度より大きい反射角度範囲の反射率の積分値とが異なることを特徴とする反射体を提供する。
本発明によれば、観察者の通常の視野角が、正反射の方向とずれている場合に、正反射の方向の反射光を確保しつつ、当該通常の視野角の方向に重点的に光を反射可能な反射体とすることができる。
【００１９】
本発明はまた、基材表面に対する正反射の角度に反射率のピークを有すると共に、正反射の角度より小さい反射角度範囲の反射率の積分値と、正反射の角度より大きい反射角度範囲の反射率の積分値とが異なる反射体が設けられ、かつ、この反射体の、前記反射率の積分値が大きくなる反射角度範囲が、観察者から見て、基材表面に対する正反射の角度よりも上方になるように、設けられたことを特徴とする反射型液晶表示装置を提供する。本発明によれば、通常、主として上方から入射する外光等を、観察者の足下方向よりも基材表面に対する法線方向にシフトさせることができる。
このため、たとえば、携帯電話やノートパソコンの表示装置として使用した場合に、観察者の視線の方向に反射する光量が増加し、実用の視点において明るい画面の反射型液晶表示装置が実現する。  
【００２０】
【発明の実施の形態】
次に本発明の実施の形態を図面を用いて具体的に説明するが、以下の実施形態は本発明を何ら制限するものではない。
図１は本実施形態の反射体を示す図である。図１に示すように、本実施形態の反射体１は、例えばアルミニウムからなる平板状の基材２の表面Ｓ（基準面）に多数の光反射性を有する凹部３ａ、３ｂ、３ｃ、…（一般に凹部３と称する）が互いに不規則に隣接して形成されている。
【００２１】
これらの凹部３の内面形状を図２〜図４に示す。図２は凹部３の斜視図、図３は縦断面Ｘにおける凹部３の断面図、図４は縦断面Ｘと直行する縦断面Ｙにおけるを断面図である。
図３に示すように、凹部３の縦断面Ｘにおける内面形状は、凹部の一の周辺部Ｓ１から最深点Ｄに至る第１曲線Ａと、この第１曲線Ａに連続して、凹部の最深点Ｄから他の周辺部Ｓ２に至る第２曲線Ｂとからなっている。図３において右下がりの第１曲線Ａと右上がりの第２曲線Ｂとは、最深点Ｄにおいて共に基材表面Ｓに対する傾斜角がゼロとなり、互いになだらかにつながっている。
第１曲線Ａの基材表面Ｓに対する傾斜角は第２曲線Ｂの傾斜角よりも急であって、最深点Ｄは凹部３の中心Ｏからｘ方向にずれた位置にある。すなわち、第１曲線Ａの基材表面Ｓに対する傾斜角の絶対値の平均値は、第２曲線Ｂの基材表面Ｓに対する傾斜角の絶対値の平均値より大きくなっている。凹部３ａ、３ｂ、３ｃ、…における第１曲線Ａの基材表面Ｓに対する傾斜角の絶対値の平均値は２〜９０゜の範囲で不規則にばらついている。また、凹部３ａ、３ｂ、３ｃ、…における第２曲線Ｂの基材表面Ｓに対する傾斜角の絶対値の平均値は１〜８９゜の範囲で不規則にばらついている。
【００２２】
一方、図４に示すように、凹部３の縦断面Ｙにおける内面形状は、凹部３の中心Ｏに対してほぼ左右均等であり、最深点Ｄ周辺は、曲率半径の大きい、すなわち、直線に近い浅型曲線Ｅとなっている。また、浅型曲線Ｅの左右は、曲率半径の大きい深型曲線Ｆ，Ｇとなっている。凹部３ａ、３ｂ、３ｃ、…における浅型曲線Ｅの基材表面Ｓに対する傾斜角の絶対値は、概ね１０゜以下である。また、凹部３ａ、３ｂ、３ｃ、…における深型曲線Ｆ，Ｇの基材表面Ｓに対する傾斜角の絶対値も不規則にばらついているが、たとえば２〜９０゜である。
また、最深点Ｄと基材表面Ｓとの距離が凹部３の深さｄを形成しこの深さｄは、凹部３ａ、３ｂ、３ｃ、…についてそれぞれ０．１μｍ〜３μｍの範囲内で不規則にばらついている。
【００２３】
本実施形態においては、凹部３ａ、３ｂ、３ｃ、…における各断面Ｘは、いずれも同じ方向になっている。また、同様に、凹部３ａ、３ｂ、３ｃ、…における各断面Ｙは、いずれも同じ方向になっている。さらに、各々の第１曲線Ａが単一の方向に配向するように形成されている。すなわち、何れの凹部でも、図２、図３に示すｘの方向が同一になるように形成されている。
【００２４】
本実施形態の反射体１では、各々の第１曲線Ａが単一の方向に配向するように形成されているため、その反射特性は、図５に示すように、基材表面Ｓに対する正反射の方向からずれたものとなっている。
すなわち、図５に示すように、ｘ方向の斜め上方からの入射光Ｊに対する反射光Ｋは、正反射の方向Ｋ0よりも、基材表面Ｓに対する方向Ｈにシフトした方向に明るい表示範囲がシフトしたものとなっている。
さらに、第１縦断面Ｘと直交する第２縦断面Ｙにおいてそれぞれ、曲率半径の大きい浅型曲線Ｅと、浅型曲線Ｅの両側にあって曲率半径の小さい深型曲線Ｆ，Ｇとを有するように形成されているので、基材表面Ｓに対する正反射の方向の反射率を高めることができる。
【００２５】
その結果、図６に示すように、第１縦断面における総合的な反射特性としては、正反射の角度に反射率のピークを有すると共に、第２曲線Ｂ周辺の面によって反射される方向の反射率が増加したものとなる。すなわち、正反射方向の反射光を充分に確保しつつ、特定の方向に反射光を適度に集中させた反射特性とすることができる。
すなわち、図６は本実施形態の反射装置１の表示面に、入射角３０°で外光を照射し、受光角を、表示面（基材表面）に対する正反射の方向である３０゜を中心として、垂線位置（０°）から６０°まで振ったときの受光角（θ°）と明るさ（反射率）との関係を示している。図６では、比較例として、従来から用いられている球面状凹部を有する反射体を用いた反射型液晶表示装置の受光角と反射率との関係も示した。
図６から明らかなように、比較例が受光角約１５°から約４５°までの範囲内でほぼ均等な反射率を示したのに対して、本実施形態の反射装置１では、基材表面Ｓに対する正反射の角度である３０゜に反射率のピークを有すると共に、正反射の角度３０゜より小さい反射角度範囲の反射率の積分値が、正反射の角度より大きい反射角度範囲の反射率の積分値より大きくなっている。すなわち、正反射方向の明るさを確保しつつ、角度２０゜前後の視野において、充分な明るさを達成できるものである。
【００２６】
反射体１の製造方法は、特に限定するものではないが、例えば以下のように製造することができる。
まず、前記凹部の形状を凸面に変換した先端形状を有するポンチ（目打ち具）を作製し、このポンチの先端をアルミニウム基材に対向させ、ポンチのアルミニウム基材に対する相対的な配向方向を一定に保ったまま、打刻ストロークを不規則に変化させ、かつ打刻間隔を不規則に変化させて、アルミニウム基材の所定領域全面を打刻する。打刻ストロークは凹部の深さが所定範囲に入るように調節する。打刻間隔はモアレ模様が発生しないように調節する。
【００２７】
図７は、本実施形態の反射装置１を組み込んだ反射型液晶表示装置１００の層構成を示す断面図である。
図７においてこの反射型液晶表示装置１００は、液晶層３０を挟んで光透過性の表示側基板２０と光反射性の反射側基板１０とが対向配置されてなっている。表示側基板２０の外側面は表示面になっていて、反射側基板１０には反射体１が組み込まれている。
【００２８】
反射側基板１０は下層から順に、ガラス基板１１、反射体１、透明介在層１３、カラーフィルタ層１４、透明平坦化層１５、ＩＴＯ（Indium  Tin  Oxide）膜またはネサ膜などからなる透明電極１６、および配向層１７が積層され、また液晶層３０を挟んで表示面側に対向配置される表示側基板２０は、液晶層３０の側から順に配向層２１、絶縁層２２、ＩＴＯ膜またはネサ膜などからなる透明電極２３、ガラス基板２４、および光学変調層（偏光板、位相差板など）２５が積層されてなっている。
また、液晶層３０を挟む透明電極１６と透明電極２３とは、互いに直交するストライプ状に形成されていてその交点領域が画素となる単純マトリックス型の液晶装置を構成している。
【００２９】
この反射型液晶表示装置１００において、反射体１は、各凹部３ａ、３ｂ、３ｃ、…の第１曲線Ａが、傾斜の緩やかな第２曲線Ｂよりもｘ方向側となるように装着されている。そして、このｘ方向を上側として、文字等の表示がなされるようになっている。
【００３０】
図８は、かかる液晶表示装置１００の使用状態を示す説明図である。なお、図８においては、説明の便宜上、反射型液晶表示装置１００の第１曲線Ａと第２曲線Ｂのみを図示し、その他の構成部材の図示を省略している。
このような反射型液晶表示装置１００は、ｘ方向を上にして携帯電話やノートパソコン等に組み込まれる。この場合反射型液晶表示装置１００は、通常、図８に示すようにｘ方向を斜め上方として、水平面に対して斜めに設置、又は保持される。すなわち、使用時において、それぞれの凹部における第１曲線Ａが、観察者から見て第２曲線Ｂよりも上方に位置するように設けられている。そして、観察者は、この反射型液晶表示装置１００を、水平よりも斜め上方から見下ろすのが通常である。
この場合、主として上方から入射する外光（入射光Ｊ）の反射光Ｋは、主として第２曲線Ｂ周辺の面で反射されるので、図５において説明したように、観察者の足下の方向には反射しにくくなり、正反射の方向Ｋ0よりも上の方向に重点的に反射するようになる。
このため、観察者の通常の観察範囲と明るい表示範囲とが一致して、実用上、明るい表示装置を実現することができる。
【００３１】
図７に示した実施形態の反射型液晶表示装置は、反射体１を透明電極１６とは別の層として形成したが、透明電極１６自体を反射体１により形成し、かつ透明電極１６を図６の反射体１の位置に形成すれば、透明電極が反射体を兼ねることができて、反射型液晶表示装置の層構成が単純化される。
【００３２】
また前記反射体を例えばハーフミラーのような半透過半反射性基材で形成し、液晶パネルの背面に照明板を配置すれば、外光が明るいときは反射型となり、外光が暗くなったとき前記照明板を点灯すれば透過型として使用できる半透過半反射型液晶表示装置が得られる。この半透過反射型液晶表示装置も本発明に含まれるものである。
【００３３】
また前記表示側基板２０の表示面側にフロントライトを設ければ、外光が明るいときは外光のみを利用し、外光が暗くなったとき前記フロントライトを点灯するようなフロントライト型の液晶表示装置が得られる。このフロントライト型の液晶表示装置も本発明に含まれるものである。
【００３４】
本発明の液晶駆動方式は特に限定されるものではなく、前記単純マトリックス型の他に、薄膜トランジスタまたは薄膜ダイオードを用いたアクティブマトリックス型、またはセグメント型などにも同様に適用が可能である。これらの液晶表示装置はいずれも本発明に含まれるものである。
【００３５】
【発明の効果】
本発明の反射体は、基材の表面に光反射性を有する複数の凹部が形成され、これら各々の凹部は、互いに直行する第１縦断面と第２縦断面における内面の形状が、第１縦断面においては、凹部の一の周辺部から最深点に至る第１曲線と、この第１曲線に連続して、凹部の最深点から他の周辺部に至る第２曲線とからなり、第１曲線の基材表面に対する傾斜角の絶対値の平均値が、第２曲線の基材表面に対する傾斜角の絶対値の平均値より大きく、かつ、第２縦断面においては、浅型曲線と、浅型曲線の両側にあって浅型曲線よりも曲率半径の小さい深型曲線とから形成されているので、入射光を乱反射し、広い視角範囲で映り込みを抑制する光拡散性を有すると共に、観察者の通常の視角範囲における反射光量を大きくすることができる。
本発明の反射体を用いた本発明の反射型液晶表示装置は、広い視角範囲で映り込みが抑制されると共に、表示面を特定の視角から観察するとき特に明るく見える視認性の改善された反射型液晶表示装置となる。
【図面の簡単な説明】
【図１】   実施形態の反射体の部分を示す斜視図。
【図２】   実施形態の一凹部を示す斜視図。
【図３】   前記凹部第１縦断面における断面図。
【図４】   前記凹部第２縦断面における断面図。
【図５】   実施形態の反射体の反射特性の説明図。
【図６】   受光角と反射率との関係を示すグラフ。
【図７】   実施形態の反射型液晶表示装置の層構成を示す断面図。
【図８】   実施形態の反射型液晶表示装置の使用状態の説明図。
【図９】   従来の反射体を示す斜視図。
【図１０】 入射角及び反射角の説明図。
【符号の説明】
１：反射体
２：基材３
３ａ、３ｂ、３ｃ：凹部
１０：反射側基板
Ａ：第１曲線
Ｂ：第２曲線
Ｃ：浅型曲線
Ｆ，Ｇ：深型曲線
【図１】
0003955191.tif 000002
【図２】
0003955191.tif 000003
【図３】
0003955191.tif 000004
【図４】
0003955191.tif 000005
【図５】
0003955191.tif 000006
【図６】
0003955191.tif 000007
【図７】
0003955191.tif 000008
【図８】
0003955191.tif 000009
【図９】
0003955191.tif 000010
【図１０】
0003955191.tif 000011